(57)【特許請求の範囲】
【請求項１】
被検眼瞳と略共役位置に配置され瞳上での光束の通過領域を決める為の開口絞りと、該開口絞りを介して被検眼眼底に第１次指標像を投影する為の投影光学系と、被検眼眼底からの反射光束により前記開口絞りを介して光電検出器上に第２次指標像を形成する為の受光光学系と、前記光電検出器からの信号により第２次指標像の光量強度分布を検出する検出部とを具備する眼光学特性測定装置に於いて、前記開口絞りは異なる開口の絞りに変更可能に構成したことを特徴とする眼光学特性測定装置。
【請求項２】
前記開口絞りは開口位置を変更可能とした請求項１の眼光学特性測定装置。
【請求項３】
前記開口絞りは複数の開口板から成り、該開口板の組合わせで前記反射光束を複数の領域に分割可能とした請求項１の眼光学特性測定装置。
【請求項４】
前記領域毎に第２次指標像の光量強度分布を検出し、検出結果より得られる眼光学特性を表示する表示部を有し、該表示部は領域の分割態様を表示すると共に分割された領域毎に眼光学特性を表示する請求項３の眼光学特性測定装置。
【発明の詳細な説明】
【０００１】
【発明の属する技術分野】
本発明は被検眼の眼底上に投影された指標像の光量強度分布を測定して眼球光学系の光学特性を測定する為の眼光学特性測定装置に関するものである。
【０００２】
【従来の技術】
従来、被検眼眼底にピンホール像等の指標像を投影し、その反射光束から光電検出器上に指標像を形成し、その指標像の光量強度分布特性を基に、被検眼の眼球光学系の光学特性を示す点像光量強度分布関数を測定する眼光学特性測定装置が知られている。
【０００３】
この眼光学特性測定装置に於いては、眼球光学系を透過した光束により形成される指標像の光量強度分布を直接測定し、被検眼の眼光学特性を正確に測定することができ、被検眼眼底上で形成される指標像をシミュレーション画像としても演算により求めることができる。眼光学特性測定装置で得られた眼光学特性は、眼科治療或は視力矯正の情報として利用される。
【０００４】
又、現在視力を矯正する為角膜をレーザ光により矯正する手術が出現している。この手術では角膜の表面の形状そのものをレーザ光で加工する為、その加工量を決める為の術前の測定、及び、術後の評価を行う為には、瞳上での異なる領域での眼光学特性を正確に知ることが必要となる。
【０００５】
【発明が解決しようとする課題】
然し乍ら、上記した従来の装置に於いては、被検眼瞳上では一定の開口径の光束を利用して測定を行う為、一定の瞳径での眼光学特性を測定することしかできず、瞳上での異なる領域での眼光学特性を知ることができないという欠点を有していた。
【０００６】
本発明は斯かる実情に鑑み、従来の眼光学特性測定装置の有する欠点を解決することを目的としたのものであり、瞳上での異なる領域で、更に瞳上全域に亘り眼光学特性の分布を測定することが可能な眼光学特性測定装置を提供するものである。
【０００７】
【課題を解決する為の手段】
本発明は、被検眼瞳と略共役位置に配置され瞳上での光束の通過領域を決める為の開口絞りと、該開口絞りを介して被検眼眼底に第１次指標像を投影する為の投影光学系と、被検眼眼底からの反射光束により前記開口絞りを介して光電検出器上に第２次指標像を形成する為の受光光学系と、前記光電検出器からの信号により第２次指標像の光量強度分布を検出する検出部とを具備する眼光学特性測定装置に於いて、前記開口絞りは異なる開口の絞りに変更可能に構成した眼光学特性測定装置に係り、又前記開口絞りは開口位置を変更可能とした眼光学特性測定装置に係り、又前記開口絞りは複数の開口板から成り、該開口板の組合わせで前記反射光束を複数の領域に分割可能とした眼光学特性測定装置に係り、又前記領域毎に第２次指標像の光量強度分布を検出し、検出結果より得られる眼光学特性を表示する表示部を有し、該表示部は領域の分割態様を表示すると共に分割された領域毎に眼光学特性を表示する眼光学特性測定装置に係るものである。
【０００８】
【発明の実施の形態】
以下、図面を参照しつつ本発明の実施の形態を説明する。
【０００９】
図１に於いて、本発明の実施の形態の光学系について説明する。
【００１０】
図中、１は被検眼、２は投影光学系、３は受光光学系を示す。
【００１１】
前記投影光学系２は光源５、該光源５から発せられた投影光束を集光する投影レンズ６、該投影レンズ６の光軸上に配設されたハーフミラー７、該ハーフミラー７を透過した投影光束を前記被検眼１に向け第１の偏光方向の直線偏光成分（Ｓ直線偏光）を反射して投影する偏光ビームスプリッタ８、該偏光ビームスプリッタ８の投影光軸に前記偏光ビームスプリッタ８側から配設されたリレーレンズ９、対物レンズ１１、１／４波長板１３、前記被検眼１の瞳１８と略共役な位置（共役な位置を含む）に配設された開口絞り１４を有する。更に、前記ハーフミラー７に対向して固視標１５、集光レンズ１６を有する固視標系１７が配設されている。前記光源５、固視標１５は前記被検眼１の眼底と共役な位置にあり、後述する様に、前記光源５、固視標１５は眼底に結像する。尚、光源５と投影レンズ６は一体で、後述の合焦レンズ１９と連動して光軸方向に沿って移動可能となっている。
【００１２】
前記受光光学系３は、前記偏光ビームスプリッタ８、該偏光ビームスプリッタ８の投影光軸に配設された前記リレーレンズ９、対物レンズ１１、１／４波長板１３を前記投影光学系２と共用している。
【００１３】
前記偏光ビームスプリッタ８を透過する反射光軸上には反射光軸に沿って移動可能な合焦レンズ１９、結像レンズ２０が配設され、該結像レンズ２０は前記被検眼１の眼底と共役な位置にある光電検出器２１上に反射光束を結像させる。
【００１４】
該光電検出器２１からの受光信号は信号処理部２６を介して記憶部２７に記憶される。前記信号処理部２６から前記記憶部２７へのデータの書込みは制御部２８によって制御され、該制御部２８は前記記憶部２７に記憶されたデータを基に所要の演算をし、又演算結果を表示部２９に表示する。
【００１５】
前記開口絞り１４について、図２（Ａ）、図２（Ｂ）、図２（Ｃ）により説明する。
【００１６】
該開口絞り１４は円形状の３枚の開口板２３，２４，２５から構成され、前記開口板２３は中央部に円形の遮光部２３ａを有し、周囲のリング形状部分が透過部２３ｂとなっており、前記開口板２４は前記遮光部２３ａと同形の透過部２４ａと前記透過部２３ｂと同形のリング形状の遮光部２４ｂを有している。前記開口板２５は８等分した中心角が４５°で対称位置にある２つの小扇形状部分が透過部２５ａ，２５ａであり、残りの２つの大扇形状部分が遮光部２５ｂ，２５ｂとなっている。
【００１７】
前記開口板２３，２４，２５を組合わせることで、図３で示されるＡ1 ，Ａ2 ，Ｂ1 ，Ｂ2 ，Ｃ1 ，Ｃ2 ，Ｄ1 ，Ｄ2 及びＡ′1 ，Ａ′2 ，Ｂ′1 ，Ｂ′2 ，Ｃ′1 ，Ｃ′2 ，Ｄ′1 ，Ｄ′2 の開口部が得られる。
【００１８】
例えば、前記開口板２５を図２（Ｃ）図示の状態とし、該開口板２５に前記開口板２３を組合わせることで、開口部Ａ2 ，Ａ′2 が得られ、前記開口板２５に前記開口板２４を組合わせることで、開口部Ａ1 ，Ａ′1 が得られる。
【００１９】
更に、前記開口板２５を４５°ステップで回転させ、各ステップで開口板２３、開口板２４を組合わせることで、前記開口部Ａ1 ，Ａ2 ，Ｂ1 ，Ｂ2 ，Ｃ1 ，Ｃ2 ，Ｄ1 ，Ｄ2 及びＡ′1 ，Ａ′2 ，Ｂ′1 ，Ｂ′2 ，Ｃ′1 ，Ｃ′2 ，Ｄ′1 ，Ｄ′2 が得られる。
【００２０】
以下、上記光学系の作用について説明する。
【００２１】
前記被検眼１に前記固視標１５を注視させた状態で、前記投影光学系２により投影光束を投影する。尚、前記固視標１５に関しては、可視光が用いられ、前記投影光束については赤外光が用いられる。
【００２２】
前記光源５からの投影光束（赤外光）が前記投影レンズ６、ハーフミラー７を透過して前記偏光ビームスプリッタ８に至り、該偏光ビームスプリッタ８でＳ直線偏光分が反射され、前記リレーレンズ９を経て前記対物レンズ１１により前記１／４波長板１３を経て前記被検眼１の眼底に投影され、第１次指標像が結像される。
【００２３】
Ｓ直線偏光が前記１／４波長板１３を透過することで、右円偏光となる。前記被検眼１の眼底で投影光束が反射され、反射光束は眼底で反射されることで、左円偏光となる。更に、反射光束が前記１／４波長板１３を透過することで、前記Ｓ直線偏光とは偏光方向が９０°異なるＰ直線偏光となる。
【００２４】
Ｐ直線偏光は、対物レンズ１１、リレーレンズ９により前記偏光ビームスプリッタ８に導かれる。該偏光ビームスプリッタ８はＳ直線偏光を反射し、Ｐ直線偏光を透過するので、前記反射光束は該偏光ビームスプリッタ８を透過し、前記合焦レンズ１９、結像レンズ２０により前記光電検出器２１上に第２次指標像として結像される。
【００２５】
該光電検出器２１が受光した第２次指標像の光量強度分布は前記被検眼１の眼光学特性を反映しており、前記光電検出器２１の受光状態を検出することで、眼光学特性を測定することができる。
【００２６】
次に、前記被検眼１の眼底に投影された投影光束は眼底で全て反射されるわけではなく、一部は眼底表面から表層内部に侵入し、散乱反射される現象、所謂にじみ反射（以下、散乱反射という）が発生する。この散乱反射が、反射光束と共に前記光電検出器２１に受光されると、第２次指標像の光量強度分布のノイズとなり、正確な眼球光学系の眼光学特性が測定できない。
【００２７】
斯かる散乱反射による光束の偏光状態はランダム状態である。この為、前記１／４波長板１３を透過し、直線偏光となった場合にＰ直線偏光と合致するものは極限られた部分に限定される。従って、前記偏光ビームスプリッタ８により散乱反射成分が殆ど吸収され、前記光電検出器２１が受光するのは実質上散乱反射成分が除去された投影反射光束となる。而して、前記１／４波長板１３を投影光学系２、受光光学系３の構成要素とすることで、正確な眼球光学系の眼光学特性測定を可能とする。
【００２８】
被検眼の眼光学特性の測定について図３、図４を参照して説明する。
【００２９】
以下の眼光学特性の測定では瞳１８を所要の領域に分割して各領域毎に領域眼光学特性を測定し、得られた領域眼光学特性から被検眼の眼光学特性を測定するものである。
【００３０】
ＳＴＥＰ０１：前記被検者に前記固視標１５を注視させた状態で、前記合焦レンズ１９を移動させる。該合焦レンズ１９と連動して、前記光源５及び投影レンズ６も一体で移動する。概略のピント合わせを行い、被検眼の屈折力に対応した目標測定位置を設定する。この設定は、事前に測定した他覚式レフラクトメータの測定結果に基づき設定を行う方法、或は、被検者が前記光電検出器２１からの信号に基づきモニタに表示された指標像を観察し、指標像の概略のピントが合う様にピント合わせを行う方法等が利用できる。
【００３１】
ＳＴＥＰ０２：測定する領域を前記開口絞り１４により設定する。設定は、前記開口板２３、開口板２４、開口板２５を組合わせて行う。図３中で示す、Ａ1 の領域を設定するには、前記開口板２５を図２（Ｃ）の状態とし、該開口板２５に前記開口板２４を重合せることでＡ1 の領域が設定される。尚、前記被検眼１眼底で反射された反射光束は前記開口絞り１４のＡ1 とは対称な領域を通過するので、Ａ′1 が開口される。
【００３２】
前記光源５からの投影光束はＡ1 の領域のみを透過する。又、前記開口絞り１４は前記瞳１８と共役な位置にあるので、瞳１８のＡ1 の領域に相当する領域を投影光束が透過する。尚、前記被検眼１の眼底で反射された反射光束は、前記開口絞り１４のＡ1 の領域と対称な位置のＡ′1 の領域を通過して前記偏光ビームスプリッタ８に至り、反射光束は該偏光ビームスプリッタ８を透過する。上記した様に、該偏光ビームスプリッタ８を透過するのはＰ直線偏光のみであり、反射光束に含まれる散乱光は略完全に除去される。前記瞳１８のＡ1 の領域のみを透過した反射投影光束が前記被検眼１の眼底で反射され、反射された反射光束がＡ′1 の領域を透過して前記合焦レンズ１９、結像レンズ２０により前記光電検出器２１上に投影され、第２次指標像を形成する。
【００３３】
ＳＴＥＰ０３：この状態で、ＳＴＥＰ０１で設定された位置を中心として、その前後で前記合焦レンズ１９を所定ステップ量で移動させる。該合焦レンズ１９と連動して、光源５及び投影レンズ６も一体で移動する。前記光電検出器２１上での合焦状態を変えながら各ステップ毎に前記光電検出器２１で得られる画像信号を前記記憶部２７（例えばフレームメモリ）に記憶する。記憶する画像信号は目標位置（目標合焦位置）を含めた例えば３０フレーム分とする。
【００３４】
ＳＴＥＰ０４：前記表示部２９は前記記憶部２７に記憶された多数の画像データを比較する。被検眼が乱視を含むとすると、合焦位置は被検眼の前側焦線位置、後側焦線位置の２つに現れる。前側焦線位置、後側焦線位置の合焦時の前記合焦レンズ１９の位置等の合焦状態のデータが取得される。
【００３５】
ＳＴＥＰ０５：前記制御部２８は被検眼の前側焦線位置、後側焦線位置の２つの画像データを選択する。ここで、前側焦線位置、後側焦線位置では、指標像は所定経線方向にのみ合焦し、それぞれ方向の異なるスリット状の像として形成される為、前側焦線位置、後側焦線位置である２つの画像データは、指標像の形状がスリット状であるかないかで判断され、選択される。
【００３６】
ＳＴＥＰ０６：前記ＳＴＥＰ０５で選択された前側焦線位置、後側焦線位置での２つの画像データに基づき各位置での光量強度分布が前記制御部２８に於いて演算され、更に各位置での光量強度分布から２次元的光量強度分布（ＰＳＦ：Ｓｐｒｅａｄ  Ｆｕｎｃｔｉｏｎ）が演算される。
【００３７】
図５を参照して２次元的光量強度分布を略述する。
【００３８】
後側焦線位置での光量強度分布を図５（Ａ）に示し、前側焦線位置での光量強度分布を図５（Ｂ）に示している。
【００３９】
図５（Ａ）で示す後側焦線の光量強度分布に於いて、Ｘ方向断面であるＰx は後側焦線で光束が最も集光している方向の光量分布を表している。
【００４０】
同様に、図５（Ｂ）で示す前側焦線の光量強度分布に於いて、Ｙ方向断面であるＰy は前側焦線で光束が最も集光している方向の光量分布を表している。
【００４１】
前記２次元的光量強度分布（ＰＳＦ：Ｓｐｒｅａｄ  Ｆｕｎｃｔｉｏｎ）は、光量強度Ｉ（ｉ）に於ける楕円近似により、図６（Ａ）、図６（Ｂ）の様に表される。例えば、図６（Ｂ）では２次元的光量強度分布はＰxyとして計算される。
【００４２】
ＳＴＥＰ０７：領域Ａ1 に於ける被検眼の情報Ｓ，Ｃ，Ａｘ（球面度数、乱視度数、乱視軸）を前記合焦レンズ１９の位置データ、前記前側焦線位置、後側焦線位置でのスリット像の方向及び前記２次元的光量強度分布Ｐxyに基づき演算により取得する。
【００４３】
前記前側焦線位置、後側焦線位置での合焦レンズ１９の位置の差が乱視度数Ｃに該当し、後側焦線位置での合焦レンズ１９の位置が球面度数Ｓに該当する。又、スリット像の方向から乱視軸が求められる。
【００４４】
ＳＴＥＰ０８：次に、前記開口板２４を前記開口板２３に交換する。該開口板２３にすることで、領域はＡ2 に変更される（図３参照）。
【００４５】
ＳＴＥＰ０９：次の測定対象領域であるＡ2 の領域について測定が行われたかどうかが判断される。未だ測定が行われていない場合は、ＳＴＥＰ０２に戻り領域の再設定が行われた後、ＳＴＥＰ０８迄の処理が行われる。未測定対象領域が存在する限り、ＳＴＥＰ０２に戻りＳＴＥＰ０８迄の処理が繰返される。
【００４６】
ＳＴＥＰ０９：全ての領域で測定が完了したかどうかが判断され、全領域での測定が完了した場合、ＳＴＥＰ１０に進む。
【００４７】
ＳＴＥＰ１０：全領域の測定結果を基に眼光学特性を演算して求める。
【００４８】
ＳＴＥＰ０６で示した様に、後側焦線の光量強度分布及び前側焦線の光量強度分布から前記Ｐxyが得られるが、得られた該Ｐxyは前記被検眼１の眼球光学系を投影光束が２度通過して得られるものであるので、前記Ｐxyと被検眼１の眼球光学系のスプレッドファンクション（ＰＳＦ）Ｐ′xyとは以下の関係にある。
【００４９】
Ｐxy＝(Ｐ′xy)2
【００５０】
従って、Ｐ′xy＝√（Ｐxy）となる。従って、前記Ｐxyを得ることで、被検眼１の眼球光学系のスプレッドファンクション（ＰＳＦ）Ｐ′xyを求めることができる。
【００５１】
以上の様にして、求められたＰxy を図８に示す様に前記被検眼１が実際に見ている指標Ｏxyと重合せ積分してイメージＩxyを得ることができる。イメージＩxyは前記被検眼１を屈折力−Ｓディオプターの球面レンズと、屈折力−ディオプターの円柱レンズとを組合わせた眼鏡レンズで矯正した場合に得られる被検眼眼底像を表している。
【００５２】
ここで、ＦＴを逆フーリエ変換、ＩＦＴを逆フーリエ変換すると
ｐxy＝ＦＴ（Ｐxy）
ｏxy＝ＦＴ（Ｏxy）
ｉxy＝ＦＴ（Ｉxy）
となるので、
ｉxy＝ｐxy×ｏxy
Ｉxy＝ＩＦＴ（ｉxy）
より、イメージＩxyを得ることもできる。
【００５３】
更に、前記ＰＳＦをフーリエ変換するとＭＴＦ（Ｍｏｄｕｌａｔｉｎｇ  Ｔｒａｎｓｆｅｒ  Ｆｕｎｃｔｉｏｎ）が得られる。該ＭＴＦを例えばＡ1 領域、Ａ2 領域、Ｄ1 領域、Ｄ2 領域について図示すると図１１（Ａ）、（Ｂ）、（Ｃ）、（Ｄ）に示す様になる。図９に於いて、縦軸はスペクトル（周波数）の強度を表し、１に正規化してあり、横軸は周波数を示している。
【００５４】
ＳＴＥＰ１１以降の処理は各領域毎に得られた測定結果を表示、或は測定結果に基づき所要の演算をして演算結果を表示する。
【００５５】
ＳＴＥＰ１１：瞳１８の領域分割した状態を表示すると共に各領域毎に領域特性（Ｓ，Ｃ，Ａx ）を表示する。領域毎の表示は瞳１８の分割状態に重合させ、或は表形式で表示する（図７参照）。
【００５６】
ＳＴＥＰ１２：分割した領域毎にグラフィックを表示する。
【００５７】
表示されるグラフィックは、前側焦線位置、後側焦線位置でのＰＳＦ（Ｐx 、Ｐy )（図５（Ａ）（Ｂ）参照）、矯正時予測Ｐxy（図９参照）、シミュレーション眼底像（Ｉxy）（図１０参照）を表示する。
【００５８】
ＳＴＥＰ１３：分割した領域毎にグラフを表示する。
【００５９】
表示されるグラフは前記ＭＴＦであり、図１１に示されたグラフが各領域毎に独立して表示され、或は図１２に示す様に各領域毎に線種を変え重合して表示される。
【００６０】
而して、瞳１８の分割された領域毎の眼光学特性が得られる。
【００６１】
尚、領域分割については測定の目的に応じ適正な分割態様とすればよく、例えば図１３に示される様に、円周方向に半円４分割（Ａ〜Ｄ）、半径方向に６分割して、更に細分化した領域について眼光学特性を測定してもよい。
【００６２】
図１３に示される分割の態様を得るには、図１４に示される中心開口板Ｊ1 〜Ｊ6 、周辺開口板Ｋ1 〜Ｋ5 、扇状開口板Ｌ1 ，Ｌ2 を組合わせることで分割が可能である。例えば、中心開口板Ｊ3 、周辺開口板Ｋ2 及び図示の状態の扇状開口板Ｌ1 ，Ｌ2 を組合わせることで、図１３中、Ｄ3 の領域が得られる。
【００６３】
更に、図１５に示される様に得ようとする領域のみが開口３３ａされた開口板３３を用いてもよい。図１５では該開口板３３は一枚しか示していないが、開口が半径方向にずれている６枚を使用し、同一円周上に位置する領域、例えば、Ａ5 ，Ｂ5 ，Ｃ5 ，Ｄ5 については同一の開口板３３を４５°ステップで回転させることで得られる。
【００６４】
更に、上記実施の形態では分割領域の形状を円弧状としたが、リング状に分割してもよい。例えば、図２に示す開口板２３、開口板２４を用いることで、中心部、及び周辺部の２領域に分割することが可能である。リング状に分割することは虹彩の拡縮に対応した眼光学特性が得られる利点がある。
【００６５】
尚、上記実施の形態では偏光ビームスプリッタを使用したが、ビームスプリッタをハーフミラーとし投光系、受光系の光路にそれぞれ９０°偏光方向の異なる偏光板を設けてもよい。
【００６６】
【発明の効果】
以上述べた如く本発明によれば、被検眼瞳と略共役位置に配置され瞳上での光束の通過領域を決める為の開口絞りと、該開口絞りを介して被検眼眼底に第１次指標像を投影する為の投影光学系と、被検眼眼底からの反射光束により前記開口絞りを介して光電検出器上に第２次指標像を形成する為の受光光学系と、前記光電検出器からの信号により第２次指標像の光量強度分布を検出する検出部とを具備する眼光学特性測定装置に於いて、前記開口絞りは異なる開口の絞りに変更可能に構成したので、瞳上での異なる複数の領域での眼光学特性を測定することができ、角膜矯正手術が行われる場合等に重要な情報が得られる等の種々の優れた効果を発揮する。
【図面の簡単な説明】
【図１】本発明の実施の形態を示す光学系の概略構成図である。
【図２】同前実施の形態に使用される開口絞りの説明図である。
【図３】前記開口絞りにより分割される領域の状態を示す説明図である。
【図４】本発明の実施の形態の作用を示すフローチャートである。
【図５】本発明の実施の形態での測定で得られる光量強度分布の線図であり、（Ａ）は後側焦線での光量強度分布を示す線図、（Ｂ）は前側焦線での光量強度分布を示す線図である。
【図６】（Ａ）は後側焦線での光量強度分布、（Ｂ）は前側焦線での光量強度分布から得られる２次元光量強度分布の線図である。
【図７】瞳の領域分割態様と、分割領域に各領域の眼光学特性のデータを表示した説明図である。
【図８】指標と矯正されたイメージの説明図である。
【図９】矯正時予測ＰＳＦを示す説明図である。
【図１０】矯正時のシミュレーションイメージ像の説明図である。
【図１１】（Ａ）（Ｂ）（Ｃ）（Ｄ）は測定した光量強度分布から得られるＭＴＦの線図である。
【図１２】前記ＭＴＦを重合し、一図として示した説明図である。
【図１３】他の分割態様を示す説明図である。
【図１４】該分割態様に使用される開口絞りの説明図である。
【図１５】他の開口絞りの説明図である。
【符号の説明】
１          被検眼
２          投影光学系
３          受光光学系
５          光源
８          偏光ビームスプリッタ
９          リレーレンズ
１１        対物レンズ
１３        １／４波長板
１４        開口絞り
１７        固視標系
１９        合焦レンズ
２１        光電検出器
２７        記憶部
２８        制御部
２９        表示部
【図１】
0004606559.tif 000002
【図２】
0004606559.tif 000003
【図３】
0004606559.tif 000004
【図４】
0004606559.tif 000005
【図５】
0004606559.tif 000006
【図６】
0004606559.tif 000007
【図７】
0004606559.tif 000008
【図８】
0004606559.tif 000009
【図９】
0004606559.tif 000010
【図１０】
0004606559.tif 000011
【図１１】
0004606559.tif 000012
【図１２】
0004606559.tif 000013
【図１３】
0004606559.tif 000014
【図１４】
0004606559.tif 000015
【図１５】
0004606559.tif 000016